(57)【要約】【課題】貯留タンクの内容物が外部に流れ出ることを防止できる貯留タンクの流出防止構造を提供する。【解決手段】貯留タンク１０の側壁１２の頂部側に設けられた格納部２１と、貯留タンクの内容物１４が不透過で、かつ、柔軟性を有する材料からなり、上端側が側壁の頂部側に支持された状態で格納部に格納され、側壁と離間して対向するように下方に展開可能な遮蔽カーテン３１と、を備えている。【選択図】図１
2018204211.tif 000002
【特許請求の範囲】
【請求項１】
貯留タンクの側壁の頂部側に設けられた格納部と、
前記貯留タンクの内容物が不透過で、かつ、柔軟性を有する材料からなり、上端側が前記側壁の頂部側に支持された状態で前記格納部に格納され、前記側壁と離間して対向するように下方に展開可能な遮蔽カーテンと、を備えていることを特徴とする貯留タンクの流出防止構造。
【請求項２】
前記貯留タンクの周囲には防液堤が設けられ、前記遮蔽カーテンが展開した際に、前記遮蔽カーテンの下端が前記防液堤の上端より下方に配置されるように構成されていることを特徴とする請求項１に記載の貯留タンクの流出防止構造。
【請求項３】
前記格納部は、前記遮蔽カーテンを保持する保持部と、前記保持部を開放して前記遮蔽カーテンを自重により落下させる作動部と、を有し、前記作動部は前記貯留タンクの所定変化により作動することを特徴とする請求項１又は２に記載の貯留タンクの流出防止構造。
【請求項４】
前記貯留タンクの側壁の頂部側には複数の前記格納部が周方向に互いに間隔を開けて設けられ、前記遮蔽カーテンは周方向に展開可能に構成され、互いに隣合う前記遮蔽カーテンは、周方向に重なり合うように展開可能であることを特徴とする請求項１〜３のいずれか一項に記載の貯留タンクの流出防止構造。
【請求項５】
前記貯留タンクの側壁の頂部側には、前記側壁と離間して対向し、かつ、全周に亘ってレールが設けられ、
該レールには、前記遮蔽カーテンが連設されており、
該遮蔽カーテンは、全周一体の一枚もので構成されていることを特徴とする請求項１〜３のいずれか一項に記載の貯留タンクの流出防止構造。
【請求項６】
前記格納部は、前記貯留タンクの側壁から離間するように外側に突出して設けられていることを特徴とする請求項１〜５のいずれか一項に記載の貯留タンクの流出防止構造。
【請求項７】
前記遮蔽カーテンの下端側にはウエイトが装着されていることを特徴とする請求項１〜６のいずれか一項に記載の貯留タンクの流出防止構造。
【発明の詳細な説明】
【技術分野】
【０００１】
本発明は、貯留タンクの流出防止構造に関する。
【背景技術】
【０００２】
従来、環境負荷の大きい液体や危険物となる液体等が貯留された屋外の貯留タンクには、貯留タンクを取り囲むように防液堤が設けられている。防液堤は、貯留タンクの内容物が万一流出した際、敷地の外部へ流れ出ることを防止するための堤である。防液堤は貯留タンクの容量に応じた大きさで、例えば鉄筋コンクリート構造や土盛り構造により構築されている。
【０００３】
また、海上に設けられた石油備蓄タンクでは、例えば下記特許文献１等に記載されているように、浮防液堤を設けることも行われている。浮防液堤は、浮体、ロッド、オイルフェンスなどを用いて石油備蓄タンクの周囲を取り囲んで設けられていた。
【先行技術文献】
【特許文献】
【０００４】
【特許文献１】特開昭６１−１４６９０８号公報
【発明の概要】
【発明が解決しようとする課題】
【０００５】
しかしながら、従来の屋外の貯留タンクの周囲に設けられた防液堤では、津波や高潮等の際、多量の海水等が防液堤を越えて貯留タンクに到達する虞があり、その際、貯留タンクが損傷する虞がある。そして、損傷により貯留タンクから内容物が流出すると、周囲に多量の海水等が存在するため、流出した内容物が防液堤を越えて外部に流れ出る虞が存在するという新たな問題点が見出された。
【０００６】
そこで本発明は、上記事情に鑑みてなされたものであり、貯留タンクの内容物が外部に流れ出ることを防止できる貯留タンクの流出防止構造を提供することを目的とする。
【課題を解決するための手段】
【０００７】
上記目的を達成するため、本発明に係る貯留タンクの流出防止構造は、貯留タンクの側壁の頂部側に設けられた格納部と、前記貯留タンクの内容物が不透過で、かつ、柔軟性を有する材料からなり、上端側が前記側壁の頂部側に支持された状態で前記格納部に格納され、前記側壁と離間して対向するように下方に展開可能な遮蔽カーテンと、を備えていることを特徴としている。
【０００８】
本発明の貯留タンクの流出防止構造によれば、柔軟性を有する遮蔽カーテンが、上端側で貯留タンクの側壁の頂部側に支持された状態で、頂部側に設けられた格納部に格納されている。そのため通常時には、遮蔽カーテンを格納部に格納しておき、使用時には、格納部から下方に展開させることで、貯留タンクの側壁周囲を容易に遮蔽カーテンで囲うことができる。
【０００９】
この遮蔽カーテンが側壁と離間して対向するように展開可能であるため、貯留タンクから内容物が流出したとき、または流出するおそれが生じたとき、下方へ展開させると、遮蔽カーテンを貯留タンクの側壁に沿って間隔を開けて配置できる。
そのため、例えば津波や高潮等が発生し、貯留タンクの周囲に多量の海水が到達した状態で、遮蔽カーテンが展開して下端側が海水に浸漬されると、貯留タンクの周囲の液面を遮蔽カーテンにより外部から仕切ることができる。これにより貯留タンクの内容物が漏洩しても、海水面に浮上した内容物を貯留タンクと遮蔽カーテンとの間に滞留させて、外部に流れ出ることを防止できる。
その結果、貯留タンクの周囲に多量の液体（海水）が存在する状態で内容物が流出した際、外部に流れ出ることを防止できる貯留タンクの流出防止構造を提供することができる。
【００１０】
本発明に係る貯留タンクの流出防止構造では、前記貯留タンクの周囲には防液堤が設けられ、前記遮蔽カーテンが展開した際に、前記遮蔽カーテンの下端が前記防液堤の上端より下方に配置されるように構成されていてもよい。
例えば、防液堤を越えて貯留タンクの側壁まで多量の液体が到達するとともに、貯留タンクが損傷して内容物が流出すると、流出した内容物が液面に浮上する。ここで、遮蔽カーテンの下端が防液堤の上端より下方に配置されていれば、遮蔽カーテンの下端側を周囲の液体に確実に浸漬させることができ、液面に浮上した内容物を貯留タンクと遮蔽カーテンとの間に確実に滞留させることができる。
【００１１】
本発明に係る貯留タンクの流出防止構造では、前記格納部が、前記遮蔽カーテンを保持する保持部と、前記保持部を開放して前記遮蔽カーテンを自重により落下させる作動部と、を有し、前記作動部は前記貯留タンクの所定変化により作動するように構成してもよい。
この貯留タンクの流出防止構造によれば、作動部が貯留タンクの所定変化により作動することで、遮蔽カーテンを保持する保持部を開放して遮蔽カーテンを自重により落下させることができる。そのため貯留タンクの側壁の周囲に簡易な構成で遮蔽カーテンを展開させることができる。
【００１２】
本発明に係る貯留タンクの流出防止構造では、前記貯留タンクの側壁の頂部側には複数の前記格納部が周方向に互いに間隔を開けて設けられ、前記遮蔽カーテンは周方向に展開可能に構成され、互いに隣合う前記遮蔽カーテンは、周方向に重なり合うように展開可能に構成してもよい。
この貯留タンクの流出防止構造によれば、複数の格納部が周方向に互いに間隔を開けて設けられ、各格納部に遮蔽カーテンを格納するように構成されているため、格納部を周方向に連続した形状に設ける必要がなく、格納部の構造を簡素化できる。
そして、互いに隣り合う格納部同士が離間していても、格納部に格納された遮蔽カーテンが側壁に沿う周方向（幅方向）に展開可能であるため、複数の格納部から落下させて展開させた際、互いに隣り合う遮蔽カーテン間に隙間が形成されることを防止できる。これにより貯留タンクから流出した内容物を遮蔽カーテンと貯留タンクとの間に滞留させて外部に流れ出ることを防止できる。
【００１３】
本発明に係る貯留タンクの流出防止構造では、前記貯留タンクの側壁の頂部側には、前記側壁と離間して対向し、かつ、全周に亘ってレールが設けられ、該レールには、前記遮蔽カーテンが連設されており、該遮蔽カーテンは、全周一体の一枚もので構成されていてもよい。
この貯留タンクの流出防止構造によれば、遮蔽カーテンが全周一体の一枚もので構成されているため、遮蔽カーテンが展開された際に、周方向に隙間が形成されることを確実に防止できる。これにより貯留タンクから流出した内容物を遮蔽カーテンと貯留タンクとの間に滞留させて外部に流れ出ることを防止できる。
【００１４】
本発明に係る貯留タンクの流出防止構造では、前記格納部が、前記貯留タンクの側壁から離間するように外側に突出して設けられていてもよい。
この貯留タンクの流出防止構造によれば、格納部が貯留タンクの側壁から離間するように外側に突出して設けられているため、遮蔽カーテンを格納部から自重により落下させることで、貯留タンクの側壁から障害物が突出していても、遮蔽カーテンを貯留タンクから離間した位置に容易に展開することができる。
【００１５】
本発明に係る貯留タンクの流出防止構造では、前記遮蔽カーテンの下端側にはウエイトが装着されていてもよい。
この貯留タンクの流出防止構造によれば、遮蔽カーテンの下端側にウエイトが装着されているため、貯留タンクの周囲に多量の液体が到達して液位が上昇した状態で、遮蔽カーテンを下方へ展開させた際、ウエイトにより遮蔽カーテンの下端側をより速く液中に沈降させて浸漬させることができる。
さらにその後、ウエイトを設けることで、遮蔽カーテンの下端側が浮上することを防止でき、遮蔽カーテンの下端側を安定して液中に浸漬させることができる。
【発明の効果】
【００１６】
本発明の貯留タンクの流出防止構造によれば、貯留タンクの内容物が外部に流れ出ることを防止することができる。
【図面の簡単な説明】
【００１７】
【図１】本発明の実施形態に係る流出防止構造を備えた貯留タンクの概略斜視図である。
【図２】図１のＡ−Ａ線に沿う概略部分断面図である。
【図３】本発明の実施形態に係る流出防止構造を備えた貯留タンクにおいて遮蔽カーテンを展開した状態を示す概略斜視図である。
【図４】図３のＢ−Ｂ線に沿う概略部分断面図である。
【図５】本発明の実施形態に係る流出防止構造を備えた貯留タンクの別の態様を示す概略斜視図である。
【発明を実施するための形態】
【００１８】
以下、本発明の実施形態に係る貯留タンクの流出防止構造について、図面に基づいて詳細に説明する。
まず本実施形態の流出防止構造を設ける貯留タンク１０は、多量の液体が内容物１４として収容されたものであり、例えば、海沿いのコンビナート等の地上に構築された大型のタンクである。この貯留タンク１０は、津波や高潮等の際に多量の海水が押し寄せてくることが想定される場所に設置されている。
【００１９】
また、貯留タンク１０の内容物１４は、流動性を有し、液中で浮上する粉粒体、液体、スラリーなどで、本実施形態では重油、石油、各種の油等の可燃性の液体や環境負荷の大きい液体等である。
そして、貯留タンク１０の流出防止構造２０は、貯留タンク１０から周囲に押し寄せてきた液体中に流出した内容物１４が、液面で拡散して敷地の外部へ流れ出ることを防止するために、貯留タンク１０を外部から遮蔽するための構造物である。
【００２０】
図１に示すように、本実施形態の貯留タンク１０は、円筒形状を有する浮屋根式タンクである。貯留タンク１０の周囲には、全周を取り囲んで防液堤１１が設けられている。
貯留タンク１０の側壁１２の外周には、階段、ウインドガーター、オーバーフロー管等の各種の設備が設置されているが、詳細な図示は省略している。
【００２１】
流出防止構造２０は、図１に示すように、貯留タンク１０の側壁１２の頂部側に設けられた格納部２１と、格納部２１に格納された遮蔽カーテン３１と、を備えている。本実施形態では、貯留タンク１０の側壁１２の頂部側に、複数の格納部２１が周方向に互いに間隔を開けて設けられている。
【００２２】
各格納部２１は、図２に示すように、それぞれ貯留タンク１０の側壁１２から離間するように外側に突出して設けられている。具体的には、貯留タンク１０の側壁１２の頂部に固設されたベース部２３と、ベース部２３から外向きに突設されて格納室２４を有する本体部２５と、格納室２４の開口部２６を開閉する保持部２７と、保持部２７を開放可能な作動部２８と、を有している。
【００２３】
ベース部２３は、貯留タンク１０の側壁１２と一体に構築されていてもよく、別体に形成されて貯留タンク１０の構築後の側壁１２に装着してもよい。なお、本実施形態では別体で構成されており、貯留タンク１０の側壁１２の上端を挟持することでベース部２３と一体に形成された本体部２５（格納室２４）が設置されている。
本体部２５には、下向きに開口部２６を有する格納室２４が設けられている。格納室２４にはそれぞれ遮蔽カーテン３１が折り畳まれた状態で格納されている。遮蔽カーテン３１の上端は、格納室２４内の頂部に支持固定されている。
【００２４】
保持部２７は、格納室２４に設けられた下向きの開口部２６を閉塞する開閉扉として構成されている。この開閉扉からなる保持部２７は、一方の縁部で格納室２４に枢支されており、図中仮想線で示すように遮蔽カーテン３１が下向きに開放可能に構成されている。
開閉扉からなる保持部２７が開口部２６を下側から閉じた状態では、保持部２７が折り畳まれた状態の遮蔽カーテン３１を保持している。
【００２５】
作動部２８は、開閉扉からなる保持部２７を係止するロック機構などを有している。作動部２８の作動時には、図中仮想線で示すように、係止状態を解除することで保持部２７を下向きに開放して遮蔽カーテン３１を自重により下方に展開させることができるように構成されている。
【００２６】
本実施形態では、作動部２８は貯留タンク１０の所定変化により作動するように構成されている。ここで、貯留タンク１０の所定変化は、特に限定されるものではないが、例えば、貯留タンク１０の側壁１２に負荷される振動、貯留タンク１０近傍の海水面１６ａ（図４参照）の水位変化、貯留タンク１０内の内容物１４の水位の低下、地震の震度などが所定値以上になった場合などがある。
【００２７】
例えば、側壁１２に負荷される振動により作動部２８を作動させる場合には、側壁１２に所定値以上の振動や加速度が生じたとき、係止状態が解除されて作動する機械式のロック機構などを用いればよい。
また、貯留タンク１０の近傍の海水１６の海水面１６ａの水位や貯留タンク１０内の内容物１４の水位の低下により作動させる場合には、例えば海水面１６ａの水位や内容物１４の液面に応じて昇降するフロートを設けて、フロートの動作により係止状態が解除される機械式のロック機構などを用いればよい。
いずれの形態であっても、本実施形態の作動部２８は外部から供給される電力なしで駆動力が得られる構造であることが好適である。
【００２８】
遮蔽カーテン３１は、内容物１４を全く透過しないか透過性が低い材料であって、柔軟性を有するシート状の材料からなる。
遮蔽カーテン３１の上端側は、側壁１２の頂部側に支持されている。支持構造は特に限定されないが、本実施形態では格納部２１における格納室２４内に上端が固定されることで支持されている。また、互いに隣り合う格納部２１，２１の本体部２５，２５間には、図１中に仮想線で示すように、遮蔽カーテン３１の上端側を貯留タンク１０の周方向に沿って案内可能なレール３２が、貯留タンク１０の側壁１２と離間した状態で側壁１２に沿って設けられていてもよい。
【００２９】
遮蔽カーテン３１は、それぞれ貯留タンク１０の側壁１２と離間した状態で、側壁１２に沿って配置されることで側壁１２と対向可能な形状であればよく、所定幅の平坦な帯状に形成されていてもよい。
各遮蔽カーテン３１の上端は、側壁１２の頂部側に支持されて貯留タンク１０の側壁１２と対向した状態で、少なくとも貯留タンク１０の周囲に想定される最大の海水面１６ａより上方に配置されていればよい。本実施形態では、各遮蔽カーテン３１の上端が防液堤１１の上端より上方に配置されている。
【００３０】
一方、各遮蔽カーテン３１の下端は、側壁１２の頂部側に支持されて貯留タンク１０の側壁１２と対向した状態（遮蔽カーテン３１が展開した状態）で、できるだけ低い位置に配置されるのがよく、例えば、側壁１２の下端と同等の位置に配置される大きさのものを用いればよい。
各遮蔽カーテン３１の下端は、防液堤１１の上端より下方に配置されるのがよく、貯留タンク１０の周方向の全長にわたり防液堤１１の上端より下方に配置されるように構成されている。
【００３１】
さらに、各遮蔽カーテン３１の幅方向の長さは、適宜選択可能であるが、全ての遮蔽カーテン３１を貯留タンク１０の側壁１２に対向配置した状態（遮蔽カーテン３１を展開した状態）で、貯留タンク１０の側壁１２の全周を連続して覆うことが可能な幅に形成されていればよい。例えば、各格納部２１の遮蔽カーテン３１の幅方向の長さが、両側にそれぞれ隣り合う格納部２１との芯間距離の１／２以上の長さとすればよい。より好ましくは、互いに隣り合う遮蔽カーテン３１の側縁部同士が内外に重畳して配置されるのがよい。
【００３２】
各遮蔽カーテン３１の下端側には、ウエイト３３が装着されている。ウエイト３３の重さは遮蔽カーテン３１の材質等に応じて適宜設定すればよく、少なくとも遮蔽カーテン３１の下端側を貯留タンク１０の周囲の海水１６中に確実に浸漬できる重さとすればよい。
ウエイト３３は遮蔽カーテン３１の下端側に直接取付けてもよく、遮蔽カーテン３１より下方に配置されるように取付けてもよい。
さらに、ウエイト３３は、海水１６中で地面１５に到達しない位置に吊下げ状態で配置されることで、遮蔽カーテン３１に常時下向きの張力を負荷するようにしてもよい。
【００３３】
遮蔽カーテン３１は、それぞれ格納部２１の格納室２４内に展開可能な折り畳み状態で格納されている。格納する方法は、何ら限定されず、例えば横方向に沿う巻回中心の周りに上下方向に巻回した状態としてもよく、ランダムに縮小形状に束ねてもよい。
本実施形態では、互いに隣り合う格納部２１，２１の格納室２４，２４が互いに間隔を開けて設けられているため、遮蔽カーテン３１の幅方向の長さが格納室２４の幅方向の長さより長く形成されている。そのため格納状態では、遮蔽カーテン３１が上下方向に縮小されるだけでなく、幅方向にも縮小された状態で格納されることが必要である。
【００３４】
いずれの格納方法においても、格納状態の遮蔽カーテン３１が上端側で支持された状態で自重により落下することで、下方に展開することが可能であることが必要である。
同時に遮蔽カーテン３１が自重により落下することで、互いに隣り合う格納部２１，２１に格納された遮蔽カーテン３１，３１の少なくとも一方、好ましくは双方が、側壁１２に沿う周方向（幅方向）に展開し、互いに隣り合う遮蔽カーテン３１，３１同士が近接又は連続して配置されるように展開可能に構成されている。
【００３５】
このような流出防止構造２０を備えた貯留タンク１０では、通常時には、周囲に海水１６は存在せず、内容物１４が漏洩なく貯留タンク１０内に貯留されている。流出防止構造２０は、遮蔽カーテン３１が折り畳み状態で格納部２１の格納室２４内に格納されている。この状態では開閉扉からなる保持部２７は閉じられている。
【００３６】
図３及び図４に示すように、例えば津波や高潮等が生じて、海水１６が防液堤１１を越えて貯留タンク１０の側壁１２まで到達すると、その衝撃等により貯留タンク１０の側壁１２が損傷する場合がある。側壁１２が損傷すると、貯留タンク１０の内容物１４が漏洩する虞がある。
そのような場合に、流出防止構造２０が機能するように構成されている。具体的には、側壁１２に衝撃を受けたとき、貯留タンク１０の外側周囲の水位が上昇したとき、または貯留タンク１０内の内容物１４の液位が低下したときなどに、作動部２８が作動する。これにより開閉扉からなる保持部２７の係止が解除されて、保持部２７が開状態になる。
【００３７】
開閉扉からなる保持部２７が開放されると、保持部２７に載置されていた格納状態の遮蔽カーテン３１が格納室２４の開口部２６から自重により下方へ展開する。
遮蔽カーテン３１は上端側が支持されているため、使用時に格納部２１から落下することで側壁１２と離間して対向するように下方へ展開するとともに、貯留タンク１０の側壁１２の全周囲を複数の遮蔽カーテン３１で取り囲むように展開される。
【００３８】
遮蔽カーテン３１が展開した状態では、上端側が貯留タンク１０の周囲の海水面１６ａより上方に配置され、下端側が海水１６中に配置されて浸漬される。
また、遮蔽カーテン３１の上端の幅方向両側縁部が、例えばレール３２に沿ってスライドするなどにより幅方向に展開し、隣り合う遮蔽カーテン３１，３１間に間隙を形成することなく連続して配置される。
【００３９】
これにより貯留タンク１０から流出して周囲の海水面１６ａに浮上した内容物１４を、遮蔽カーテン３１と貯留タンク１０の側壁１２との間の海水面１６ａ上に滞留させることができ、防液堤１１の外部に内容物１４が拡散することを防止して回収することができる。
【００４０】
以上のような本実施形態の貯留タンク１０の流出防止構造２０によれば、柔軟性を有する遮蔽カーテン３１が、上端側で貯留タンク１０の側壁１２の頂部側に支持された状態で、頂部側に設けられた格納部２１に格納されている。そのため通常時には、遮蔽カーテン３１を格納部２１に格納しておき、使用時に、格納部２１から下方に展開させることで、貯留タンク１０の側壁１２周囲を容易に遮蔽カーテン３１で囲うことができる。
【００４１】
この遮蔽カーテン３１が側壁１２と離間して対向するように展開可能であるため、貯留タンク１０から内容物１４が流出したとき、または流出するおそれが生じたとき、下方へ展開させると、遮蔽カーテン３１を貯留タンク１０の側壁１２に沿って間隔を開けて配置できる。
そのため貯留タンク１０に多量の海水１６が到達して周囲に多量の海水１６が存在する状態で、遮蔽カーテン３１が展開して下端側が海水１６に浸漬されると、貯留タンク１０の周囲の海水面１６ａを遮蔽カーテン３１により外部から仕切ることができる。これにより海水面１６ａに流出した内容物１４を貯留タンク１０と遮蔽カーテン３１との間に滞留させて、外部に流れ出ることを防止できる。
【００４２】
また、本実施形態の貯留タンク１０の流出防止構造２０では、貯留タンク１０の周囲に防液堤１１が設けられ、遮蔽カーテン３１の下端が防液堤１１の上端より下方に配置した。
防液堤１１を越えて貯留タンク１０の側壁１２まで多量の海水１６が到達することで、貯留タンク１０が損傷して内容物１４が流出した場合、流出した内容物１４が海水面１６ａに浮上する。その際、遮蔽カーテン３１の下端が防液堤１１の上端より下方に配置されていると、遮蔽カーテン３１の下端側を周囲の海水１６に確実に浸漬させることができる。そのため海水面１６ａに浮上した内容物１４を貯留タンク１０と遮蔽カーテン３１との間に滞留させることが可能である。
【００４３】
本実施形態の貯留タンク１０の流出防止構造２０では、格納部２１が遮蔽カーテン３１を保持する保持部２７と、保持部２７を開放する作動部２８と、を有し、作動部２８が貯留タンク１０の所定変化で作動するように構成されている。そのため、作動部２８が貯留タンク１０の所定変化により作動すると、遮蔽カーテン３１を保持する保持部２７を開放して遮蔽カーテン３１を自重により落下させることができる。これにより貯留タンク１０の側壁１２の周囲に容易に遮蔽カーテン３１を展開させることができる。
【００４４】
本実施形態の貯留タンク１０の流出防止構造２０では、複数の格納部２１が周方向に互いに間隔を開けて設けられ、各格納部２１に遮蔽カーテン３１を格納するように構成されている。そのため、格納部２１を周方向に連続した形状に設ける必要がなく、格納部２１の構造を簡素化できる。
また、格納部２１に格納された遮蔽カーテン３１が側壁１２に沿う周方向（幅方向）に展開可能に構成されている。そのため、互いに隣り合う格納部２１，２１同士が離間していても、遮蔽カーテン３１が各格納部２１から落下して展開した際、互いに隣り合う遮蔽カーテン３１，３１間に隙間が形成されるのを防止できる。これにより貯留タンク１０から流出した内容物１４を遮蔽カーテン３１と貯留タンク１０との間に滞留させて外部に流れ出ることを防止できる。
【００４５】
本実施形態の貯留タンク１０の流出防止構造２０では、格納部２１が貯留タンク１０の側壁１２から離間するように外側に突出して設けられている。そのため、遮蔽カーテン３１を格納部２１から自重により落下させて下方に展開させた際、遮蔽カーテン３１を貯留タンク１０の側壁１２から離間した位置に展開させることができる。これにより、貯留タンク１０の側壁１２に階段やウインドガーター等の各種の設備が外側に突出して設けられていても、遮蔽カーテンを確実に展開させることができる。
しかも、遮蔽カーテン３１を貯留タンク１０の側壁１２から離間した位置に展開させることで、貯留タンク１０の周囲に流出した内容物１４も捕捉し易くなる。
【００４６】
本実施形態の貯留タンク１０の流出防止構造２０では、遮蔽カーテン３１の下端側にウエイト３３が装着されている。そのため、貯留タンク１０の周囲に多量の海水１６が到達して海水面１６ａの水位が上昇した状態において、遮蔽カーテン３１を下方へ展開させた際、遮蔽カーテンの下端側が海水面１６ａに到達すると、ウエイト３３により遮蔽カーテン３１の下端側をより速く海水１６中に沈降させて浸漬させることができる。
さらにその後には、ウエイト３３があることで遮蔽カーテン３１の下端側が浮上することを防止でき、遮蔽カーテン３１の下端側を安定して海水１６中に浸漬させることができる。
【００４７】
以上、本発明による貯留タンク１０の流出防止構造２０についての一実施形態について説明したが、本発明は上記の実施の形態に限定されるものではなく、その趣旨を逸脱しない範囲で適宜変更可能である。
例えば上記実施形態では海沿いの地上に構築された貯留タンクの例について説明したが、特に限定されるものではなく、内陸に設置されて河川や湖等からの多量の淡水が接する可能性のある貯留タンクに流出防止構造を設けてもよい。また、海上又は海中に設置されて頂部側が空中に突出して設置された貯留タンクに設けてもよい。さらに、貯留タンクに接する多量の液も海水１６や淡水に限らず、他の液体が想定される場合であってもよい。
また、上記実施形態では、貯留タンク１０の側壁１２が損傷して内容物１４が流出する場合に遮蔽カーテン３１を展開する例について説明したが、例えば地震等のように内容物１４が流出するおそれが生じた際に、遮蔽カーテン３１を展開するようにしてもよい。
【００４８】
また、上記実施形態では、格納部２１として、格納室２４の開口部２６に開閉扉からなる保持部２７が設けられ、この保持部２７の上に遮蔽カーテン３１が載置されている例について説明したが、保持部２７を開閉扉とは別に設けて遮蔽カーテン３１を保持させてもよく、落下時に開閉扉を開放させるように構成することも可能である。その場合の保持部２７としては、例えば遮蔽カーテン３１を巻回して支える部材等を用いてもよい。
さらに、開口部２６に開閉扉としての保持部２７を設けた場合の説明をしたが、開口部２６に開閉扉を設けなくてもよい。
また上記実施形態では、作動部２８が貯留タンク１０の所定変化により自動で保持部２７を開放する例について説明したが、作業者が操作することで保持部２７を開放するように構成してもよい。
【００４９】
そして、図５に示すように、貯留タンク１０の側壁１２から所定距離離れた位置に周方向に沿うレール４０を配置し、該レール４０に全周一体の一枚もので構成された遮蔽カーテン１３１を巻き上げた状態で保持するような構成を採用してもよい。このように構成することにより、遮蔽カーテン１３１が展開された際に、周方向に隙間が形成されることを確実に防止できる。なお、このとき遮蔽カーテン１３１の劣化を防止するカバーを設けてもよい。
【符号の説明】
【００５０】
１０…貯留タンク
１１…防液堤
１２…側壁
１４…内容物
１５…地面
１６…海水
１６ａ…海水面
２０…流出防止構造
２１…格納部
２３…ベース部
２４…格納室
２５…本体部
２６…開口部
２７…保持部
２８…作動部
３１，１３１…遮蔽カーテン
３２…レール
３３…ウエイト
【図１】
2018204211.tif 000003
【図２】
2018204211.tif 000004
【図３】
2018204211.tif 000005
【図４】
2018204211.tif 000006
【図５】
2018204211.tif 000007